(57)【要約】【課題】被術者の好みに応じた温度調節が簡単であり、かつ自立可能で効率的な施灸ができる温灸器を提供する。【解決手段】底面９が開放された所定形状の蓄熱空間５、蓄熱空間５の上方から棒状の灸材８を蓄熱空間５内に挿通可能な挿通孔６、及び、挿通孔６とは異なる位置に設けられ蓄熱空間５の内部と外部とを空気が行き来できる通気部７、を備え、底面９の開口部Ｋの幅が１０ｃｍ以上２０ｃｍ以下である本体部２と、挿通孔６に棒状の灸材８を自立した状態で保持すると共に、所望の挿入位置で支持することができる支持手段３とを具備する。【選択図】図２
2009153554.tif 000002
【特許請求の範囲】
【請求項１】
底面が開放された所定形状の蓄熱空間、該蓄熱空間の上方から棒状の灸材を前記蓄熱空間内に挿通可能な挿通孔、及び、該挿通孔とは異なる位置に設けられ前記蓄熱空間の内部と外部とを空気が行き来できる通気部、を備え、前記底面の開口部の幅が１０ｃｍ以上２０ｃｍ以下である本体部と、
前記挿通孔に棒状の灸材を自立した状態で保持すると共に、所望の挿入位置で支持することができる支持手段と
を具備することを特徴とする温灸器。
【請求項２】
前記本体部は、木質系材料より構成されていることを特徴とする請求項１に記載の温灸器。
【請求項３】
前記挿通孔の上方に延びて配置され、前記支持手段によって支持された棒状の灸材の自立状態を補助する円筒部をさらに具備することを特徴とする請求項１または請求項２に記載の温灸器。
【発明の詳細な説明】
【技術分野】
【０００１】
本発明は、温灸器に関するものであり、特に、棒灸を用いた温灸器に関するものである。
【背景技術】
【０００２】
古来より、灸という治療方法が存在している。灸とは、経穴（つぼ）と呼ばれる体の特定部位に対して温熱刺激を与え血行を促進し、病気や肩こり、腰痛などを軽減する治療方法である。灸には、皮膚の上に直接熱源を据えて灸痕を残す有痕灸と、熱源と皮膚との間に緩衝物を挿入するなどして灸痕を残さない無痕灸とがあり、現在では、無痕灸が最も普及している。無痕灸の種類としては、例えば知熱灸、隔物灸、台座灸、棒灸、灸頭鍼などが存在する。これらの灸は、灸の形状や種類、手法などがそれぞれに異なっている。
【０００３】
これらの無痕灸のうち、知熱灸と灸頭鍼とは、用いられる器具や手法が特殊であるため、専門の知識を持つ訓練された施術師によってのみ行われている。これに対し隔物灸、台座灸、棒灸は比較的簡単であり、訓練を積んでいない一般の人でも家庭内において気軽に私的利用することが可能である。
【０００４】
その一例を紹介すると、隔物灸とは、図５（ａ）に示すように、にんにくや生姜、ビワの葉、塩などの隔物５０を施術箇所５２の上に置き、その上に熱源となる艾（もぐさ）５１を置いて行われる。隔物５０の薬効成分と艾５１の温熱刺激によって、血行促進等を図る手法である。台座灸は、隔物灸の一種であり、図５（ｂ）に示すように熱を緩衝する既製の台座５３の上に艾５４を配置する手法である。棒灸は、棒状の灸材を人手で施術箇所に近づけるか、若しくは図５（ｃ）に示すような温灸器５５を用いて棒状の灸材５６を施術箇所５７に近づけて施灸する手法である。
【０００５】
以上の従来技術は、当業者において当然として行われているものであり、出願人は、この従来技術が記載された文献を知見していない。
【発明の開示】
【発明が解決しようとする課題】
【０００６】
ところが、図５において例示した従来の隔物灸には、いくつかの問題があった。例えば、図５（ａ）の隔物灸では、施術途中で隔物５０と施術箇所５２との距離を変えることが難しかった。なぜなら、隔物５０を持ち上げると、その上に置かれた艾５１がこぼれ落ちる虞があるためである。従って、自由な温度調節が難しいという問題があった。また、台座灸では、台座５３の裏面に粘着テープ等を配置して貼り付けることで、凹凸のある施術箇所５２にも対応可能であるが、一旦貼り付けてしまうと、台座５３の位置や厚みを変えることができないので、艾５４の位置を変えることができなかった。よって、施術途中で臨機応変に温度調節をすることが難しいという問題があった。
【０００７】
一方、棒灸では、棒状の灸材５６と被術者との距離を変えるだけで、極めて簡単に温度調節をすることが可能である。しかし、棒状の灸材５６を直接支えるか、若しくは温灸器５５の取手５８等を支える人手が必要であるため、手を放すと温度調節ができなかった。そうすると、自宅で自分に施術する場合は、自分自身で支えなければいけないから疲れてしまい、長時間施灸できなかったし、他の施術者に施灸してもらう場合でも、施術者が現場を離れることができないので、そのあいだ他の施術箇所の施灸やマッサージを施すことができないという点が不便だった。
【０００８】
ここで、従来の温灸器５５を使う場合は、取手５８から手を離して本体部分５９を施術箇所の上に直接載置する使い方も考えられる。しかし、従来の温灸器５５は、本体部分５９の大きさが比較的小さく、５ｃｍ程度であるため、灸材５６を差し込むと安定が悪くなり倒れる虞があった。よって、手を離して施灸することには困難が予想された。また、仮に倒れなかったとしても、手を放すと温度調節を行うことはできないため、不便が残った。さらに、本体部５９が小さいことから、手を離した状態では狭い範囲のみしか温められず、もっと広い範囲を簡単に温められる温灸器が望まれていた。
【０００９】
そこで、本発明は、上記の実状に鑑み、被術者の好みに応じた温度調節が簡単であり、かつ広い範囲を温めることができる温灸器の提供を課題とする。
【課題を解決するための手段】
【００１０】
本発明に係る温灸器は、「底面が開放された所定形状の蓄熱空間、該蓄熱空間の上方から棒状の灸材を前記蓄熱空間内に挿通可能な挿通孔、及び、該挿通孔とは異なる位置に設けられ前記蓄熱空間の内部と外部とを空気が行き来できる通気部、を備え、前記底面の開口部の幅がｃｍ以上２０ｃｍ以下である本体部と、前記挿通孔に棒状の灸材を自立した状態で保持すると共に、所望の挿入位置で支持することができる支持手段とを具備する」ことを特徴とする。
【００１１】
ここで、「底面の開口部の幅」とは、開放されている底面の大きさを示しており、例えば底面の形状が円形ならば直径を、三角形なら底辺から頂角までの高さを、四角形なら対角線の長さまたは対角辺の長さを、五角形以上の多角形であれば何れか一つの対角線の長さを、それぞれ示している。
【００１２】
また、「棒状の灸材」とは、艾などの灸用材料（灸材）を固めて棒状に形成したものを示す。「棒状の灸材」は、例えば円柱状で太さは１５〜２０ｍｍ、長さは約２００ｍｍ程度のものが多く市販されているが、その形状や長さ、太さは特に上記数値に限定されない。
【００１３】
また、「本体部」の形状としては、例えばドーム状（お椀状）、円筒状、立方体状、直方体状、円錐状、三角錐状、等の全体形状が例示できる。その他、底面が開放された形状であれば、上述の形状には限定されないが、底面の開口部の幅は１０ｃｍ以上，２０ｃｍ以下である。底面の開口部の幅が１０ｃｍ未満であると、施灸時の本体部の安定性が悪く、施灸中に倒れてしまう恐れがあるからである。また、開口部の幅が１０ｃｍ未満であると、比較的狭い範囲しか温められないという問題も発生するので、１０ｃｍ以上としている。一方、底面の開口部の幅は２０ｃｍ以下とする。２０ｃｍを超えると、大きすぎることにより、人体の上に置くとはみ出してしまい、施灸時の本体部の安定性が悪くなる場合があるからである。また、２０ｃｍを超えると、人体等の施術箇所に底面を接触させた場合、本体部がはみ出して底面が閉塞されない虞もある。そうすると、熱や煙が隙間から漏れてしまい、施灸箇所を効率よく温められない場合が懸念されるので、２０ｃｍ以下とする必要がある。
【００１４】
なお、本発明の本体部において、「さらに、本体部の形状は、底面から挿通孔までの高さが、前記開口部の幅と略一致または小さいことを特徴とする」ものとしても良い。このように構成すると、底面を下側にして施術箇所に接触させた状態（＝施灸時）で、本体部の安定性がより向上するので、倒れたり、熱や煙が逃げにくい効果的な温灸器を提供できる。
【００１５】
また、「支持手段」の構成としては、例えば、挿通孔の内径と、棒状の灸材と略等しい（または若干小さい）内径として構成する場合が例示できる。このような挿通孔に棒状の灸材を挿入すると、孔の内壁に棒状の灸材が押し付けられ、摩擦で所望の位置に支持することができるからである。
【００１６】
また、挿通孔の上側に延びる円筒を設け、円筒の管壁に軸直角方向の孔を設ける構成も考えられる。当該孔にネジ溝を設け、このネジ溝に嵌合する雄ネジをはめ込み、円筒及び挿入孔に挿入された棒状の灸材を雄ネジの先端で圧接するのである。このように構成しても、所望の挿入位置で棒状の灸材を支持することが可能となる。
【００１７】
また、挿通孔の内側に、弾性部材を配置する方法も考えられる。挿通孔に棒状の灸材を挿入すると、棒状の灸材の形状に応じて弾性部材を弾性変形させる。そうすると、弾性部材が棒状の灸材を圧接するので、当該灸材を所望の挿入位置で支持することができる。
【００１８】
上記支持手段の構成は、何れか一つを採用しても良いし、何れかを組み合わせて採用してもよい。また、上記の方法は一例であるから、挿通孔に棒状の灸材を自立した状態で保持すると共に所望の挿入位置で支持することができるものであれば、上述の形態には限定されない。
【００１９】
従って、本発明の温灸器によれば、支持手段が備えられているから、挿通孔に棒状の灸材を挿入すると、棒状の灸材を自立した状態で保持すると共に、所望の挿入位置で支持することができる。そして、棒状の灸材のうち、本体部の蓄熱空間内に挿入されている側の先端部に火を着け、底面を施術箇所に接触させる。そうすると、本体部は底面が開放された所定形状だから、棒状の灸材が発する熱は、蓄熱空間内に充満し、開放された底面から施術箇所に伝達される。
【００２０】
ここで、本体部の底面の直径が１０ｃｍ以上２０ｃｍ以下であるので、手を離した状態でも本体部の安定性が失われないことに加え、熱や煙が施術箇所に効率的に与えられ、効果的な温灸を行える。さらに、支持手段が備えられているから、灸材を自立させた状態で所望の挿入位置に支持することができ、温度調節が簡単である。また、従来の温灸器などに比べて広い範囲に温熱を伝えることができる。また、本体部には、蓄熱空間の内部と外部とを空気が行き来できる通気部が備えられているから、施術箇所によって底面が閉塞された状態でも、蓄熱空間内で灸材の燃焼状態が維持される。さらに、底面が開放されていることから、温熱だけではなく、灸材の発する煙も施術箇所に当たる。
【００２１】
以上より、本発明の温灸器によれば、底面の直径が１０ｃｍ以上なので、手を離した状態でも倒れにくく、安定して施灸を続けることができ、かつ、比較的広い範囲を温めることができる。また、底面の直径が２０ｃｍ以下なので、持ち運ぶ際にもそれほど邪魔にならないし、熱や煙を効率的に施術箇所に伝えることができる。さらに、本発明の温灸器によれば、人手で棒状の灸材を支えたり、または取手等を介して温灸器を支えつづける必要がなく、ハンズフリーで棒灸を楽しむことができる。よって、長時間施灸しても疲れないし、他のお灸やマッサージとの同時進行が可能な効率的な施灸を可能とする。さらに、施術箇所と棒状の灸材との距離関係を任意に調節できるから、自由な温度調節が可能であり快適である。
【００２２】
また、本発明の温灸器において、「前記本体部は、木質系材料より構成されている」ものとすることができる。
【００２３】
ここで、「木質系材料」とは、一本の原木から必要な寸法に切り出した無垢材だけではなく、小さな木の破片や薄い板を接着剤で貼りあわせた木質系の材料も含む主旨である。このような木質系の材料としては、例えば集成材、単板積層材、合板、パーティクルボード、ファイバーボード、等が例示できる。また、「木質系材料より構成されている」とは、一枚の木質系材料より全体形状を削りだして一体的に形成する構成のみならず、複数の小パーツを組み合わせて全体形状を構成する、所定の型枠に木片と接着剤とを流し込み本体部の全体形状を構成する、等の方法が例示できる。
【００２４】
従って、本発明の温灸器によれば、施術箇所に接触する本体部が木質系材料で構成されている。木質系材料は、金属やセラミックス、樹脂等に比べて熱伝導率が低いから、断熱性能が高く、棒状の灸材が発する熱を効率よく蓄熱空間内に閉じ込めることができる。また、長時間施灸しても本体部が熱くなりすぎないので、皮膚に直接接触させて施術しても被術者に熱さを感じさせないという効果を有している。さらに、本体部を皮膚に直接接触させても、体の熱が本体部に奪われず、ヒンヤリと感じさせない。よって、施術を開始した直後でも被術者に冷たさを感じさせないので、冬場でも快適に施術できる温灸器を提供できる。
【００２５】
ところで、棒状の灸材は、火を着けてから所定時間が経過すると、艾が燃えて灰に変わる。そこで、支持手段によって棒状の灸材の挿入位置を調整する場合は、連続して施灸したい時間を考慮して決めておくと良い。例えば、本体部に挿入する棒状の灸材の挿入量があまりに小さいと、蓄熱空間内での灸材の燃焼時間が短くなり、十分な温灸効果を得られない場合が考えられる。逆に、本体部に挿入する棒状の灸材の挿入量があまりに大きいと、施術箇所と棒状の灸材との距離が短くなり過ぎ、被術者が、熱くて不快に感じる場合が懸念される。従って、被術者の好みやその日の体調に応じて、挿入位置を適宜変更させて使用すると良い。
【００２６】
しかし、挿入位置を変更した場合、予定していた施灸時間分よりも早い段階で灸材が燃え尽きてしまう場合が考えられる。つまり、被術者が熱さを感じて、灸材の燃焼位置を施術箇所より遠ざけたい場合、棒状の灸材の挿入量を減らすことが考えられるが、減らした結果、予定時間よりも早く蓄熱空間内の灸材が燃え尽きてしまうからである。また、勘違いなどでうっかり施灸時間を予定より長くする場合も考えられ、このような場合は、棒状の灸材の長さが短くなり（灰になり）、支持手段によって支持されている部位を越えて燃え尽きてしまう場合がある。そうすると、棒状の灸材の自立状態が保持できなくなるという問題が発生し得る。
【００２７】
そこで、本発明の温灸器において、「前記挿通孔の上方に延びて配置され、前記支持手段によって支持された棒状の灸材の自立状態を補助する円筒部をさらに具備する」ものとすることができる。
【００２８】
本発明の温灸器によれば、挿通孔の上方に延びて配置される円筒部がさらに備えられており、支持手段によって支持された棒状の灸材の自立状態を補助することが可能である。従って、仮に支持されている部位を越えて灸材が燃え尽きてしまっても、円筒部によって自立状態が補助されるので、灸材が倒れたり折れたりする心配が無い。また、円筒部は、挿通孔の上方に延びて配置されるから、挿通孔の上方から棒状の灸材を挿入する際のガイド部材としても機能し、スムーズな挿入作業を可能にする。これにより、一層使いやすくて安全な温灸器を提供できる。
【発明の効果】
【００２９】
このように、本発明の温灸器によれば、棒状の灸材を自立させた状態に保持できる本体部を備えているから、両手を離してハンズフリー状態で棒灸をすることができる。よって、長時間施灸しても疲れないし、他のお灸やマッサージとの同時進行が可能な効率的な施灸を可能とする。
【発明を実施するための最良の形態】
【００３０】
以下、本発明の一実施形態である温灸器について、図１乃至図３に基づき説明する。図１は本発明の温灸器を側面からみた場合における断面図、図２は温灸器を底面側から見た場合における斜視図、図３は温灸器の使用方法を説明する説明図である。
【００３１】
本例の温灸器１は、図１及び図２に示すように、本体部２と、支持手段３と、円筒部４とを備えており、棒状の灸材８（以下、単に「灸材８」と称す）を用いて温灸を行う器具である。
【００３２】
本例の本体部２は、温灸器１の本体部分を為す部材であり、けやきの木材から一体的に切り出すことで構成されている。より詳しくは図２に示すように、底面９が開放された蓄熱空間５を有するドーム状の形状をしている。底面９は、開口部の幅Ｋ（直径）が約１１ｃｍの略円形であり、底面９から挿通孔６までの高さは直径の略半分（約５．５ｃｍ）である。上面には、上方から灸材８を挿通するための挿通孔６が設けられている。さらに、側面には、蓄熱空間５の内部と外部とを空気が行き来できるよう形成された複数の通気部７が設けられている。
【００３３】
支持手段３は、挿通孔６に挿通された灸材８を自立した状態で保持すると共に、所望の挿入位置で支持する部材である。より詳しくは図１に示すように、円筒部４（後述する）の内壁に一体的に設けられた環状の部材であり、その内径が所定の灸材８の直径と略等しい。従って、灸材８を支持手段３内に挿入すると、灸材８の外側と支持手段３の内壁とが接触するようになっている。材質としては、公知の難燃性プラスチックが採用されている。
【００３４】
円筒部４は、挿通孔６の上方に延びて配置された円筒状の部材であり、支持手段３によって支持された灸材８の自立状態を補助するものである。その内径は、所定の灸材８の直径よりも大きいので、スムーズに灸材８を挿入することができる。材質としては、前述したように支持手段３と一体的に形成されているので、支持手段３と同じく難燃性のプラスチックである。
【００３５】
なお、本例の温灸器１では、太さが約１６ｍｍ、長さが約２１０ｍｍの灸材８を使用している。灸材８の太さや長さは、当然のことながら上記の数値には限定されないが、選択する灸材８の太さに応じて支持手段３や円筒部４の内径を変更すると良い。灸材８の太さが支持手段３や円筒部４の内径より太いと、灸材８をこれらの中に挿通できないからである。一方、支持手段３の内径より灸材８が細い場合は、灸材８の外側と支持手段３の内壁とが接触せず、所望の位置で支持できない場合があるからである。また、灸材８の長さに応じて円筒部４の長さを選択すると良い（本例では５０ｍｍ程度である）。灸材８の長さに比してあまりに円筒部４が短いと、灸材８の自立状態を補助するのが困難となる場合があるからである。一方、灸材８の長さに比してあまりに円筒部４が長いと、空気の出入りが難しい円筒部４内に灸材８の大部分が隠れてしまうため、燃焼させられない灸材８の割合が増えるからである。従って、使用する灸材８の太さや長さに応じて、適宜なサイズの支持手段３及び円筒部４を選択することが好ましい。
【００３６】
次に、図３を用いて、本例の温灸器１の使用方法について説明する。まず、図３（ａ）に示すように、灸材８を挿通孔６に挿入する。本例の温灸器１には、挿通孔６の上方に延びた円筒部４が取設されているから、円筒部４がガイド部材となって挿通孔６にスムーズに灸材８を差し込むことができる。そして、先端側８ａが本体部２の蓄熱空間５（図３（ｂ）参照。以下同じ）内に到達するまで、灸材８を深く挿入する。
【００３７】
そして、図３（ｂ）に示すように、適宜な着火手段１０を用いて、灸材８の先端側８ａに火を着ける。なお、本例では灸材８を蓄熱空間５内に挿入した後に着火する方法を例示しているが、その逆でも構わない。すなわち、まず灸材８の先端側８ａに火をつけ、その後円筒部４の上方から挿入しても良い。但し、本例のように挿入後に着火すると、円筒部４や支持手段３（図１参照）に燃焼している先端部８ａが直接触れないので、より安全である。
【００３８】
続いて、図３（ｃ）に示すように、施術箇所１１（本例では、人体の臍部分を例示）に本体部２の底面９を接触させる。開放されている底面９が施術箇所１１によって塞がれると、灸材８の先端側８ａの熱が蓄熱空間５内に充満し、施術箇所１１に対して温灸効果をもたらすと共に、灸材８が発する煙が施術箇所１１に当たる。本例では、底面９の直径が略１１ｃｍあるので、従来の棒灸や温灸器を用いる場合に比べて比較的広い範囲を温めることができる。また、熱だけでなく、灸材８の発する煙の薬効成分・香り成分を施術箇所１１に浸透させることができる。なお、本体部２には通気部７が複数設けられているので、底面９が閉塞されても空気の行き来は妨げられない。よって、灸材８の燃焼状態は持続される。
【００３９】
ここで、本例の本体部２は、けやきの木材から構成されているので、肌に直接触れても冷たさを感じさせない。また、木材は金属やセラミックス等に比べて断熱効果が高いから、灸材８のから発せられる熱を本体部２の外部へ逃がし難い。よって、蓄熱空間５内に熱を効率的に閉じ込めることができる。
【００４０】
そして、灸材８を上下させ、被術者が心地よく感じる温度になるよう調節する。熱さが足りない場合は、灸材８の挿入量を増やして先端側８ａを下側に移動させ、施術箇所１１に近づけると良い。熱すぎる場合は、逆に灸材８の挿入量を減らして先端側８ａを上側に移動させ、施術箇所１１から遠ざける。本例の灸材８は、支持手段３によって支持されているから、挿入位置を任意の場所に移動させることが可能である。こうして、被術者の好みに応じて自由に温度調節を行いながら、棒灸を楽しむことができる。
【００４１】
棒灸が終了すると、灸材８を本体部２から抜き取る。そして、図３（ｄ）に示すように、水をためた容器１２の中に先端側８ａを浸す。こうして、先端側８ａの火を鎮火させる。消化方法は上述に限定されず、小さな火消しツボの中に先端側８ａを差し込み、酸素の供給を絶つ方法でも良いし、灰皿などに先端側８ａを押し付けて火をもみ消しても良い。本例の灸材８は、水につけても自然乾燥させるだけで再利用可能だから、灸材８を一度に使いきる必要は無い。こうして、本例の温灸器１を用いた棒灸が終了する。
【００４２】
以上のように、本例の温灸器１によれば、底面９の開口部の幅Ｋが約１１ｃｍであり、底面９から挿通孔６までの高さが幅Ｋの略半分（約５．５ｃｍ）なので、施灸時（図３（ｃ）参照）の安定性が非常に良い。さらに、支持手段３も備えられているから、温度調節が簡単であるし、手を離した状態でも快適な温度状態が保たれる。よって、長時間施灸しても疲れず、他のお灸やマッサージとの同時進行が可能である。さらに、底面９の開口部の幅Ｋが約１１ｃｍあるから、従来の棒灸や温灸器に比べて広い範囲を温めることができる。
【００４３】
さらに、本例の温灸器１によれば、施術箇所１１に接触する本体部２が木製である。よって、金属やセラミックス、樹脂等に比べて断熱性が高く、灸材８が発する熱を効率よく蓄熱空間５内に閉じ込めることができる。また、長時間施灸しても本体部２が熱くなりすぎないので、皮膚に直接接触させても被術者に熱さを感じさせないという効果を有している。さらに、本体部２を皮膚に直接接触させても、体の熱が本体部２に奪われず、ヒンヤリと感じさせない。よって、冬場でも快適に施術できる温灸器１を提供できる。
【００４４】
また、本例の温灸器１によれば、挿通孔６の上方に延びて配置される円筒部４がさらに備えられている。これにより、支持手段３によって支持された灸材８の自立状態を補助することが可能である。すなわち、仮に支持されている部位を越えて灸材８が燃え尽きてしまっても、円筒部４によって灸材８の自立状態が補助されるので、灸材８が倒れたり折れたりする心配が無い。また、円筒部４は、挿通孔６の上方に延びて配置されるから、挿通孔６の上方から灸材８を挿入する際のガイド部材としても機能し、スムーズな挿入作業を可能にする。これにより、一層使いやすくて安全な温灸器を１提供できる。
【００４５】
以上、本発明について好適な実施形態を挙げて説明したが、本発明はこれらの実施形態に限定されるものではなく、以下に示すように、本発明の趣旨を逸脱しない範囲において種々の改良及び設計の変更が可能である。
【００４６】
すなわち、上記の実施形態によれば、本体部２に固定された支持手段３及び円筒部４を例示したが、この構成には限定されない。何れか一方または双方を本体部２に対して着脱可能な状態で取り付けても良い。このように構成すると、灸材８の長さや太さが変わっても、支持手段３もしくは円筒部４の少なくとも一方を他のサイズのものに付け替えて対応することができる。
【００４７】
また、上記の実施形態によれば、長さが５０ｍｍ程度である円筒部４を例示したが、このサイズには限定されないし、長さが可変の円筒部４としても良い。例えば、円筒部４を上下二つのパーツで構成し、下方の円筒部に雌ネジ溝を設け、上方の円筒部には当該雌ネジ溝に嵌合する雄ネジ部を設ける構成などが例示できる。このように構成すると、雌ネジ部と雄ネジ部の締め具合を調整することで、円筒部４の全体の長さを可変にすることができる。よって、灸材８の長さに応じてバランスの良い長さの円筒部４を選択することができ、一層便利である。
【００４８】
また、上記の実施形態によれば、内径が灸材８の直径と略等しい環状部材である支持手段３を例示したが、この構成には限定されない。例えば、図４（ａ）に示すように、挿通孔６の上に配置されている切り欠きのある円筒部１２と、公知の結束手段１７とを用いる構成なども例示できる。図４（ａ）に示すように、円筒状部材の上部の一部を切り欠くと、残された部位が切片１２ａとして残される。この切片１２ａに、結束手段１７を用いて挿入した灸材８を固定することで、所望の挿入位置に、灸材８を固定することができる。結束手段１７は、適宜なワイヤー、紐、結束バンド、その他灸材８を切片１２ａに結束できるものであれば良い。
【００４９】
また、図４（ｂ）に示すように、挿通孔６の上方に延びて配置された円筒部１３と、公知のクリップ１４とで支持手段３を構成しても良い。円筒部１３内に灸材８を挿入し、所望の挿入位置となるようクリップ１４を灸材８に係止させるものである。さらに、図４（ｃ）に示すように（図４（ｃ）は縦断面図の一部を示している）、挿通孔６の上方に延びて配置された円筒部１５と、弾性部材１６とで支持手段３を構成しても良い。灸材８を円筒部１５内に挿入すると、弾性部材１６が弾性変形して灸材８を圧接し、摩擦力によって所望の挿入位置に支持されるものである。なお、図４（ｃ）では、板バネ状の弾性部材１６を例示しているが、コイルスプリング状部材、ゴム状部材等、弾性変形をして灸材８を支持するものであれば、この構成には限定されない。
【００５０】
また、本例の温灸器１に、灸材８の燃えカスをキャッチする適宜な収容手段を付加しても良い。収容手段の形態としては、例えば本体部２の蓄熱空間５内に公知のネット部材を貼着する構成が例示できる（図示しない）。このような収容手段を付加すると、燃焼後に灰や燃えカスが出るタイプの灸材８であっても、施術箇所１１に当該燃えカス等を落とすことが無いため、使える灸材のタイプが広がって便利である。
【図面の簡単な説明】
【００５１】
【図１】本発明の温灸器を側面からみた場合における縦断面図である。
【図２】温灸器を底面側から見た場合における斜視図である。
【図３】温灸器の使用方法を説明する説明図である。
【図４】支持手段のその他の形態を示す説明図である。
【図５】従来の温灸器等を示す説明図である。
【符号の説明】
【００５２】
１  温灸器
２  本体部
３  支持手段
４  円筒部
５  蓄熱空間
６  挿通孔
７  通気部
８  棒状の灸材（灸材）
９  底面
【図１】
2009153554.tif 000003
【図２】
2009153554.tif 000004
【図３】
2009153554.tif 000005
【図４】
2009153554.tif 000006
【図５】
2009153554.tif 000007